(57)【要約】【課題】本発明は、凍結血漿バッグ内に封入された凍結血漿を解凍する凍結血漿解凍装置に関し、雑菌の混入の危険を避けるとともに清掃の容易さを確保し、さらに伝熱効率を高めることで解凍時間の短縮化を図る。【解決手段】水平に配置された、凍結血漿バッグ吊下げ用のシャフト１１を備えてシャフト１１を片持ち梁状に支持する吊下げ部１０と、互いに対向して立設し、シャフト１１から吊り下げられた凍結血漿バッグ２が入り込む溝２を形成する一対の壁２２Ａ，２２Ｂであって、下部および上部に、溝２１に向かって開口した空気吸込口２２１Ａ，２２１Ｂおよび空気吹出口２２２Ａ，２２２Ｂがそれぞれ形成されてなる本体部２０とを備え、吊下げ部１０が、モータ１２でシャフト１１を揺動させる揺動機構を備え、本体部２０が、空気流路２３Ａ，２３Ｂと、ファン２４Ａ，２４Ｂと、ヒータ２５Ａ，２５Ｂとを備えた。【選択図】図２
2016019614.tif 000002
【特許請求の範囲】
【請求項１】
水平に配置された、凍結血漿バッグ吊下げ用のシャフトを備えて該シャフトを片持ち梁状に支持する吊下げ部と、
互いに対向して立設し、前記シャフトから吊り下げられた凍結血漿バッグが入り込む溝を形成する一対の壁であって、該一対の壁それぞれの下部および上部に、双方が該溝に向かって開口した空気吸込口および空気吹出口がそれぞれ形成されてなる本体部とを備え、
前記吊下げ部が、モータを備えて該モータで前記シャフトを該シャフトの延びる方向に揺動させる揺動機構を備え、
前記本体部が、前記一対の壁それぞれに対応して設けられた、
前記空気吸入口と前記吹出口とを繋ぐ空気流路と、
前記溝内の空気を前記空気吸入口から吸い込んで前記空気吹出口から該溝内に吹き出させるファンと、
前気空気流路内を流れる空気を熱するヒータとを備えたことを特徴とする凍結血漿解凍装置。
【請求項２】
凍結血漿バッグを収容して前記シャフトに吊り下げられる、網目状の解凍専用ネットをさらに備えたことを特徴とする請求項１記載の凍結血漿解凍装置。
【請求項３】
前記溝が、前記本体部の上面および前面の双方に開口し前記一対の壁で左右が区画された形状の溝であって、
前記シャフトが、前記本体部の背面側で片持ち梁形状に支持され、前記溝の直上であって、該溝の、該本体部上面側の開口よりも上方を該本体部前面側に向かって水平に延びたシャフトであることを特徴とする請求項１又は２記載の凍結血漿解凍装置。
【発明の詳細な説明】
【技術分野】
【０００１】
本発明は、凍結血漿バッグ内に封入された凍結血漿を解凍する凍結血漿解凍装置に関する。
【背景技術】
【０００２】
現在、凍結血漿の解凍方法として、恒温水槽に満たした温水に凍結血漿バッグを浸すことで解凍する方法が主流となっている（例えば、特許文献１参照）。しかしながら、温水に浸して解凍する方法は、解凍に要する時間が短くて済む半面、以下のような多くの問題点も抱えている。
【０００３】
その問題点の１つとして、温水による雑菌の混入があり、凍結血漿の提供に対しても、各医療機関では、安全性を疑問視している。更に解凍時には輸血用器具との接続部が雑菌に汚染されないように注意する必要があり、別のビニル袋等を使用して２重のバッグにして温水に投入しているのが現実である。
【０００４】
また、温水を使うと、使用中や使用後の清掃が非常に困難である。現場で水を使うことから温水を簡単には交換できない環境も多く、また、粘液状のカルキ等が残り、特にヒータや温水攪拌用のモータやセンサ等に付着した汚れは、現場では容易には清掃出来ない。
【０００５】
そこで、温水を使わない解凍方法として、凍結血漿バッグを上下からプレートや熱媒体封入のバッグで挟み込み、上下のヒータでそのプレート等を介して凍結血漿バッグを温め、さらに凍結血漿バッグを上下から挟んだ構造の一部又は全体を揺動させることで解凍する方法が提案されている（特許文献２，３）。
【０００６】
ここで、凍結血漿バッグ内の血漿は、例えば−３５℃等に凍結していて、解凍中に凍結血漿バッグの外面に水滴が付着して濡れた状態となる。特許文献２，３に提案されている方法は、凍結血漿バッグをプレート等で上下から挟むため、それらのプレート等が濡れた状態となり、解凍のために温めることも相俟って雑菌繁殖の温床となるおそれがあり、清掃や除菌が大変であるといいう問題がある。
【０００７】
また、凍結血漿バッグは取り扱いが面倒であって、−３０℃以下に凍結した状態では凍結血漿バッグの端部分が破損しやすく、場合によっては、破損した部分から血漿が漏れ出すことも有る。この点からも、凍結血漿バッグをプレート等で挟むのは危険を伴う。
【０００８】
さらに、凍結血漿バッグを吊り下げ、下から温風を吹き付けて解凍する方法が提案されている（特許文献４）。
【０００９】
この方法の場合、凍結血漿バッグ外面の結露は下に落ち、それが再び凍結血漿バッグに付着するおそれは少なく、雑菌による汚染の点では安全である。しかしながら温風は、温水に浸したりプレート等で挟む場合と比べ凍結血漿バッグへの伝熱の効率が悪く、解凍に時間がかかり過ぎて作業効率の悪化を招きかねない。
【００１０】
また、凍結血漿は、３７℃を越えた温度で融解すると、凝固因子活性の低下を認め、さらに５０℃以上では蛋白の変性による固まりを生じるという性質があり、温風の場合であってもその温風の温度をむやみに上げて解凍するのも危険が伴う。
【先行技術文献】
【特許文献】
【００１１】
【特許文献１】特開２００９−５０３１６号公報
【特許文献２】特開２０１３−２５２２０４号公報
【特許文献３】特開２００７−６１２４５号公報
【特許文献４】特開２００１−２１８８１７号公報
【発明の概要】
【発明が解決しようとする課題】
【００１２】
本発明は、上記事情に鑑み、雑菌の混入の危険を避けるとともに清掃の容易さを確保し、さらに伝熱効率を高めることで解凍時間の短縮化が図れらた凍結血漿解凍装置を提供することを目的とする。
【課題を解決するための手段】
【００１３】
上記目的を達成する本発明の凍結血漿解凍装置は、
水平に配置された、凍結血漿バッグ吊下げ用のシャフトを備えて、そのシャフトを片持ち梁状に支持する吊下げ部と、
互いに対向して立設し、シャフトから吊り下げられた凍結血漿バッグが入り込む溝を形成する一対の壁であって、それら一対の壁それぞれの下部および上部に、双方がその溝に向かって開口した空気吸込口および空気吹出口がそれぞれ形成されてなる本体部とを備え、
吊下げ部が、モータを備えて、そのモータでシャフトを、そのシャフトの延びる方向に揺動させる揺動機構を備え、
本体部が、上記一対の壁それぞれに対応して設けられた、
空気吸入口と吹出口とを繋ぐ空気流路と、
溝内の空気を空気吸入口から吸い込んで空気吹出口から溝内に吹き出させるファンと、
空気流路内を流れる空気を熱するヒータとを備えたことを特徴とする。
【００１４】
凍結血漿バッグ内の血漿の解凍が始まると、凍った塊りは解凍した血漿の上に浮かぶ。本発明の凍結血漿解凍装置は、その凍った塊りに向けて温風を吹き付けるように空気吹出口を壁上部に設けている。このため、下から温風を吹き上げる方法と比べ伝熱効率が高められる。また、凍結血漿バッグを吊り下げているシャフトを揺動させているため、前掲の特許文献２，３のようにプレートで挟んで揺動させる場合と比べ雑菌の混入を防ぎつつ、揺動により凍結血漿バッグ内の解凍された血漿が攪拌されて、伝熱効率がさらに高められる。
【００１５】
ここで、本発明の凍結血漿解凍装置において、凍結血漿バッグを収容してシャフトに吊り下げられる、網目状の解凍専用ネットをさらに備えることが好ましい。
【００１６】
前掲の特許文献３では、凍結血漿バッグをフックで直接に吊り下げている。これに対し、本態様では、解凍専用ネットを備え、凍結血漿バッグをその解凍専用ネットに入れて解凍専用ネットがシャフトに吊り下げられる。これにより、凍結血漿バッグの落下等の危険性を大きく低減することができる。
【００１７】
また、本発明の凍結血漿解凍装置において、上記溝が、本体部の上面および前面の双方に開口し一対の壁で左右が区画された形状の溝であって、上記シャフトが、本体部の背面側で片持ち梁形状に支持され、溝の直上であって、その溝の、本体部上面側の開口よりも上方を本体部前面側に向かって水平に延びたシャフトであることが好ましい。
【００１８】
この態様の構造を備えると、凍結血漿バッグの取付け（吊下げ）や取外しの作業を、この凍結血漿解凍装置の前面から行うことができ、作業性が向上する。
【発明の効果】
【００１９】
本発明の凍結血漿解凍装置によれば、雑菌の混入が避けられるとともに清掃の容易さが確保され、さらに伝熱効率を高めて解凍時間の短縮化が図られる。
【図面の簡単な説明】
【００２０】
【図１】本発明の一実施形態としての凍結血漿解凍装置の上面図である。
【図２】本発明の一実施形態としての凍結血漿解凍装置の正面図である。
【図３】本発明の一実施形態としての凍結血漿解凍装置の右側面図である。
【図４】解凍専用ネット内に収容された凍結血漿バッグを示した図である。
【図５】吊下げ部の内部構造を示した模式図である。
【発明を実施するための形態】
【００２１】
以下、本発明の実施の形態を説明する。
【００２２】
図１、図２および図３は、本発明の一実施形態としての凍結血漿解凍装置の、それぞれ、上面図、正面図、および右側面図である。
【００２３】
この凍結血漿解装置１は、吊下げ部１０と本体部２０を備えている。
【００２４】
吊下げ部１０は水平に配置されたシャフト１１を備えている。このシャフト１１は、本体部２０の背面側で片持ち梁状に支持されている。このシャフト１１は、解凍専用ネット３０に収容された状態の凍結血漿バッグ２（図２参照）の吊り下げを担っている。解凍専用ネット３０についての詳細は後述する。
【００２５】
また、この吊下げ部１０は、モータ１２と、そのモータ１２でシャフト１１を揺動させる揺動機構１３を備えている。シャフト１１の揺動の方向は、そのシャフト１１の延びる、図１，図３に矢印Ｆ−Ｒで示す方向である。この揺動機構１３の詳細は後述する。
【００２６】
また本体部２０には、シャフト１１から吊り下げられた凍結血漿バッグが入り込む溝２１が形成されるように、一対の壁２２Ａ，２２Ｂが設けられている。これらの壁２２Ａ，２２Ｂは溝２１に吊り下げられた凍結血漿バッグ２入りの解凍専用ネット３０に接触しないように離間しており、その吊り下げられた凍結血漿バッグ２入りの解凍専用ネット３０を間に置いて、互いに対向して立設している。
【００２７】
ここで、一対の壁２２Ａ，２２Ｂのぞれぞれの下部および上部には、溝２１に向かって開口した空気吸入口２２１Ａ，２２１Ｂおよび空気吹出口２２２Ａ，２２２Ｂが、それぞれ形成されている。空気吹出口２２２Ａ，２２２Ｂは、一例として、縦３０ｍｍ、横１９０ｍｍの寸法を有する。また、この本体部２０には、空気吸入口２２１Ａ，２２１Ｂと空気吹出口２２２Ａ，２２２Ｂとを繋ぐ空気流路２３Ａ，２３Ｂが設けられている。そして各空気流路２３Ａ，２３Ｂ内の下部には、ファンモータ２４１Ａ，２４１Ｂを備えたファン２４Ａ，２４Ｂが備えられている。これらのファン２４Ａ，２４Ｂは、溝２１内の空気を空気吸入口２２１Ａ，２２１Ｂから吸入し、空気流路２３Ａ，２３Ｂ内を通過させて空気吹出口２２２Ａ，２２２Ｂから溝２１内に吹き出させる役割を担っている。ここで、本実施形態の凍結血漿解凍装置１では、空気吹出口２２２Ａ，２２２Ｂに、溝２１内に斜め下向きに空気が吹き出されるように空気を案内する案内ダクト２３１Ａ，２３１Ｂが取り付けられており、ファン２４Ａ，２４Ｂにより送り出された空気は溝２１内に斜め下向きに吹き出される。この吹き出された空気は、解凍専用ネット３０に収容されて吊り下げられている凍結血漿バッグ２の上部に吹き付けられる。図２中の矢印Ｃは、空気の流れを表している。
【００２８】
また、空気流路２３Ａ，２３Ｂ内には、ファン２４Ａ，２４Ｂに加え、さらに、ヒータ２５Ａ，２５Ｂと、温度センサ２６Ａ，２６Ｂが備えられている。ヒータ２５Ａ，２５Ｂは、ファン２４Ａ，２４Ｂにより空気流路２３Ａ，２３Ｂ内に送り込まれた空気を加熱する役割を担っている。センサ２６Ａ，２６Ｂは、空気流路２３Ａ，２３Ｂ内の空気吹出口２２２Ａ，２２２Ｂ近傍の部分に配置されていて、空気吹出口２２２Ａ，２２２Ｂから吹き出される空気の温度を測定する。各センサ２６Ａ，２６Ｂで測定された空気の温度は各温度コントローラ２７Ａ，２７Ｂに入力される。各温度コントローラ２７Ａ，２７Ｂは上部に温度表示器を備え、下部に温度設定器を備えている。温度設定器には不用意に触れることがないように蓋が被せられている。各センサ２６Ａ，２６Ｂで測定される温度が設定温度に一致するように、各ヒータ２５Ａ，２５Ｂに流れる電流が制御される。ここでは、一例として、温度は３５℃に設定される。
【００２９】
ここで、本体部２０の溝２１は、本体部２０の上面と前面が開口していて、上記の一対の壁２２Ａ，２２Ｂで左右が区画された形状の溝である。
【００３０】
また、吊下げ部１０を構成するシャフト１１は、上述の通り、本体部２０の背面側で片持ち梁状に支持されている。そしてそのシャフト１１は、本体部２０の溝２１の直上であって、その溝２１の本体部１０の上面側の開口よりも上方を、本体部１０の前面側に向かって延びている。この構造により、解凍専用ネット３０に収容した凍結血漿バッグ２の吊り下げや取外しを容易にし、作業性の向上を図っている。
【００３１】
さらに、この本体部２０には、モータ１２，ファン２４Ａ，２４Ｂ、およびヒータ２５Ａ，２５Ｂの動作の開始、停止を指示するスタート／ストップボタン２８、および、左右のヒータ２５Ａ，２５Ｂに通電されていることを表わす一対のヒータランプ２９Ａ，２９Ｂが備えられている。停止状態にあるときにスタート／ストップボタン２８を押すと、温風の吹き付けおよびシャフト１１の揺動の動作が開始されて、ヒータランプ２９Ａ，２９Ｂが点灯する。この動作中にスタート／ストップボタン２８を再度押すと、シャフト１１の揺動およびヒータ２５Ａ，２５Ｂへの通電が停止されてヒータランプ２９Ａ，２９Ｂは消灯するが、ファン２４Ａ，２４Ｂは、あらかじめ定められた時間、さらに動作し続ける。これは、熱した状態にあるヒータ２５Ａ，２５Ｂを冷ましてから停止するためである。
【００３２】
また、本実施形態では、スタート／ストップボタン２８を再度押した後のファン２４Ａ，２４Ｂを停止させるまでの時間を計測するタイマに加え、スタート／ストップボタン２８を押して動作を開始させた後、凍結血漿バッグ２内の凍結血漿の解凍が完了した時点でタイムアップするタイマ（不図示）が備えられている。このタイマがタイムアップすると、動作中にスタート／ストップボタン２８を押したときと同様な手順で、すなわちファン２４Ａ，２４Ｂについては暫く動作してから停止する。
【００３３】
また、本実施形態の凍結血漿解凍装置１は、本体部２０を載せる土台部４０を備えている。この土台部４０には、この凍結血漿解凍装置１の電源の投入、切断を担うメイン電源スイッチ４１が備えらえている。そしてそのメイン電源スイッチ４１の隣りには、このメイン電源スイッチ４１のオン／オフを表わす電源ランプ４２が備えられ、さらにその隣りには、操作つまみ４３が備えられている。この操作つまみ４３を操作すると、シャフト１１を揺動させるモータ１２の回転速度が変化する。すなわち、この操作つまみ４３を操作することで、シャフト１１の矢印Ｆ−Ｒ方向への揺動の速度が調節される。
【００３４】
メイン電源スイッチ４１に不用意に触れて電源がいきなりオフになると、ファン２４Ａ，２４Ｂを含む全ての動作がいきなり停止することになるため、メイン電源スイッチ４１に不用意に触れることがないよう、そのメイン電源スイッチ４１の両側には前方に突出したガイド４４が設けられている。
【００３５】
さらに、この土台部４０の上面の、本体部２０の溝２１に繋がる部分には、前後方向に延びた窪み部４０１が形成されていて、その窪み部４０１には、凍結血漿バッグ２から落下した水滴を受ける平皿４５が置かれている。この平皿４５は抜取り自在となっており、この平皿４５を抜き取って溜まっている水を捨てて洗うことで、あるいは拭き取ることで、普段の清掃を完了させることができる。
【００３６】
このように、本実施形態の凍結血漿解凍装置１は、普段の清掃等の維持管理が容易であり、また、雑菌の混入防止も図られている。
【００３７】
図４は、解凍専用ネット内に収容された凍結血漿バッグを示した図である。
【００３８】
解凍専用ネット３０は、１ｃｍ角程度のメッシュの樹脂製のネットである。凍結血漿バッグ２は、この解凍専用ネット３０内に設置される。この凍結血漿バッグ２には、凍結血漿が封入されている。この解凍専用ネット３０は、シャフト１１が差し込まれるように取り付けられて、シャフト１１に吊り下げられる。この解凍専用ネット３０は、１ｃｍ角程度もの大きな穴が多数空いたメッシュ状のネットであるため、凍結血漿バッグ２への風の拭き付けにはほとんど邪魔にならない。
【００３９】
図５は、吊下げ部の内部構造を示した模式図である。
【００４０】
この吊下げ部１０は、シャフト１１と、モータ１２と、揺動機構１３とを備えている。この吊下げ部１０には、さらに、基体１４に固定された２つの支持体１５が備えられている。これら２つの支持体１５は、シャフト１１を、その後端側（本体部２０の背面側）で支持する役割を担っている。これらの支持体１５は、シャフト１１を矢印Ｆ−Ｒ方向にスライド自在に支持している。この吊下げ部１０を構成している揺動機構１３は、カム部材１３１、伝達シャフト１３２、および連結軸１３３で構成されている。カム部材１３１は、モータ１２の回転軸１２１に固定されており、そのカム部材１３１の回転軸１２１からはずれた位置に、伝達シャフト１３２の一端が、そのカム部材１３１に対し回転自在に連結されている。さらに、その伝達シャフト１３２の他端は、連結軸１３３の一端を回転自在に支持している。この連結軸１３３の他端は、シャフト１１の端部に連結されている。
【００４１】
モータ１２が回転すると、そのモータ１２の回転軸１２１に固定されているカム部材１３１が矢印Ａ方向に回転する。するとそのカム部材１３１に連結されている伝達シャフト１３２が、カム部材１３１に連結された側を上下に揺らしながら、カム部材１３１の一回転につき矢印Ｘ―Ｙ方向に一往復移動する。この伝達部材１３１の矢印Ｘ−Ｙ方向の往復移動が連結軸１３３を介してシャフト１１に伝達され、シャフト１１が矢印Ｆ−Ｒ方向に揺動する。この揺動はモータ１２の一回転につき一往復である。
【００４２】
前述の通り、操作つまみ４３（図２参照）を操作するとモータ１２の回転速度が調整される。これにより、シャフト１１の矢印Ｆ−Ｒ方向への揺動の速度が調整される。
【００４３】
なお、ここでは、解凍専用ネット３０の一例、揺動機構１３の一例を示したが、これらは必ずしもここで例示した形態に限られるものではなく、適切に設計、製作される。
【００４４】
また、ここでは、図２に示すように、センサ２６Ａ，２６Ｂや温度コントローラ２７Ａ，２７Ｂを２系統持つ凍結血漿解凍装置１について説明したが、温度センサや温度コントローラは１つずつのみ備え、左右両側について共通に制御してもよい。
【００４５】
また、本実施形態では、案内ダクト２３１Ａ，２３１Ｂを備えて、空気の吹出しの向きを斜め下向きに調整しているが、案内ダクト２３１Ａ，２３１Ｂを備えることに代わり、空気流路２３Ａ，２３Ｂを通ってきた空気が斜め上から空気吹出口２２２Ａ，２２２Ｂに向かうように空気流路２３Ａ，２３Ｂ自体の形状により斜め下向きに吹き出すようにしてもよい。あるいは、空気の吹出しの向きは必ずしも斜め下向きである必要はなく、凍結血漿バッグ２の上部に向けて水平方向に空気を吹き出してもよい。
【符号の説明】
【００４６】
１    凍結血漿解凍装置
２    凍結血漿バッグ
１０    吊下げ部
１１    シャフト
１２    モータ
１３    揺動機構
２０    本体部
２１    溝
２２Ａ，２２Ｂ    壁
２３Ａ，２３Ｂ    空気流路
２４Ａ，２４Ｂ    ファン
２５Ａ，２５Ｂ    ヒータ
２６Ａ，２６Ｂ    温度センサ
２７Ａ，２７Ｂ    温度コントローラ
２８    スタート／ストップボタン
２９Ａ，２９Ｂ    ヒータランプ
３０    解凍専用ネット
４１    メイン電源スイッチ
４２    電源ランプ
４３    操作つまみ
４４    ガイド
４５    平皿
２２１Ａ，２２１Ｂ    空気吸入口
２２２Ａ，２２２Ｂ    空気吹出口
２３１Ａ，２３１Ｂ    案内ダクト
２４１Ａ，２４１Ｂ    ファンモータ
【図１】
2016019614.tif 000003
【図２】
2016019614.tif 000004
【図３】
2016019614.tif 000005
【図４】
2016019614.tif 000006
【図５】
2016019614.tif 000007